(57)【要約】【課題】画像形成に対応するジョブの優先度を個人認証したユーザの認証情報により決定する。【解決手段】画像形成に対応する複数のジョブを実行して画像形成を行う画像形成装置においてジョブを実行する際に、ジョブ優先度決定部Ｃ３が画像形成に対応するジョブの優先度を個人認証したユーザの認証情報Ｃ７によって決定してジョブ管理部Ｃ２で管理し、ジョブ処理部Ｃ４で複数のジョブのうち、その決定された優先度が高いジョブを選択して実行する。【選択図】      図５
2004343655.tif 000002
【特許請求の範囲】
【請求項１】
画像形成に対応する複数のジョブを実行して画像形成を行う画像形成装置のジョブ実行方法であって、
画像形成に対応するジョブの優先度を個人認証したユーザの認証情報によって決定する工程と、
複数のジョブのうち、前記決定された優先度が高いジョブを選択して実行する工程とを有することを特徴とするジョブ実行方法。
【請求項２】
前記画像形成に対応するジョブは、少なくとも画像データの入出力処理、画像処理を行うデバイスに対応するジョブであることを特徴とする請求項１記載のジョブ実行方法。
【請求項３】
前記決定する工程は、ユーザの使用権限により前記ジョブの優先度を決定することを特徴とする請求項１記載のジョブ実行方法。
【請求項４】
前記ユーザの認証情報により、複数のジョブが利用する画像形成装置の資源量を決定する工程を更に有することを特徴とする請求項１記載のジョブ実行方法。
【請求項５】
前記決定する工程は、前記個人認証したユーザの認証情報とジョブの種類とに応じて前記ジョブの優先度を決定することを特徴とする請求項１記載のジョブ実行方法。
【請求項６】
画像形成に対応する複数のジョブを実行して画像形成を行う画像形成装置であって、
画像形成に対応するジョブの優先度を個人認証したユーザの認証情報によって決定する手段と、
複数のジョブのうち、前記決定された優先度が高いジョブを選択して実行する手段とを有することを特徴とする画像形成装置。
【請求項７】
コンピュータに請求項１記載のジョブ実行方法を実行させるためのプログラム。
【請求項８】
請求項７記載のプログラムが記録されたコンピュータ読み取り可能な記録媒体。
【発明の詳細な説明】
【０００１】
【発明の属する技術分野】
本発明は、画像形成に対応する複数のジョブを実行して画像形成を行う技術に関する。
【０００２】
【従来の技術】
近年、複写機等、画像形成装置のデジタル化に伴い、スキャナから読み取った画像データやパーソナルコンピュータ（ＰＣ）から通信を介して送られたＰＤＬ（Ｐａｇｅ  Ｄｅｓｃｒｉｐｔｉｏｎ  Ｌａｎｇｕａｇｅ）データをビットマップに展開した画像データを、画像形成装置内のハードディスクなどの記憶装置に一旦記憶し、その記憶装置から任意の画像データを読み出してプリントアウトする機能を備えたデジタル複写機等の画像形成装置が実用化されている。
【０００３】
このようなデジタル複写機は、記憶容量の大きい記憶装置を搭載することで、コピー、ファクシミリ、ＰＤＬプリント等の複数の機能に対応するジョブを複数同時に受け付けて画像を記憶装置内に蓄積し、順次プリントアウトしたり、大量部数のコピーなど時間のかかるジョブがプリンタを占有しているときでも複数のジョブを記憶装置内に蓄積することにより、複数のジョブを受け付けたりできるように構成されている。
【０００４】
しかしながら、上述の構成では、記憶装置内に保存されているジョブの優先度については、同種類のジョブでは受付順であり、ファックスプリントは優先度が低いというようにジョブの種類により優先度を決定しているのみであった。そのため、コピーの優先度がＰＤＬプリントの優先度より高い場合は、一般の使用者が大量部数のコピーをしている間は、どんな使用権利を持ったユーザのプリントアウトであっても、出力ができないといった問題点があった。
【０００５】
このような問題を解決するためには、個人認証を用いて使用権限によりユーザをカテゴリに分け、そのカテゴリによりジョブの優先度を決定することにより、ユーザ毎にジョブの制御を変更するといった方法が考えられる。
【０００６】
このような問題を解決する技術として、個人認証を用いて画像処理システムのジョブの優先度を決定するものは、例えば、特許文献１に開示されている「画像処理システム」が挙げられる。
【０００７】
【特許文献１】
特開２００２−８３２８０号公報
【発明が解決しようとする課題】
しかしながら、上述した個人認証を用いた画像処理システムでは、画像情報をデータベースとして通信ネットワーク上におき、ジョブの優先度は、通信ネットワークの資源制御のみに用いられており、画像データの入出力や画像処理などの画像形成を行うデバイスに対応したジョブには考慮されていなかった。そのため、適切な時間で最終的な出力をユーザに提供することは困難であった。
【０００８】
本発明は、上記課題を解決するためになされたもので、画像形成に対応するジョブの優先度を個人認証したユーザの認証情報により決定することを目的とする。
【０００９】
【課題を解決するための手段】
上記目的を達成するために、本発明は、画像形成に対応する複数のジョブを実行して画像形成を行う画像形成装置のジョブ実行方法であって、画像形成に対応するジョブの優先度を個人認証したユーザの認証情報によって決定する工程と、複数のジョブのうち、前記決定された優先度が高いジョブを選択して実行する工程とを有することを特徴とする。
【００１０】
また上記目的を達成するために、本発明は、画像形成に対応する複数のジョブを実行して画像形成を行う画像形成装置であって、画像形成に対応するジョブの優先度を個人認証したユーザの認証情報によって決定する手段と、複数のジョブのうち、前記決定された優先度が高いジョブを選択して実行する手段とを有することを特徴とする。
【００１１】
【発明の実施の形態】
以下、図面を参照しながら本発明に係る実施の形態を詳細に説明する。
【００１２】
本実施形態では、画像形成装置としてネットワークに接続され、コピー機能、プリント機能、ファックス機能、などの複数の機能を有する複合装置を例に説明する。
【００１３】
図１は、本実施形態による画像形成装置の構成を示すブロック図である。図１において、リーダ部１は原稿の画像を光学的に読み取り、読み取った原稿画像に応じた画像データを画像入出力制御部３へ出力する。プリンタ部２は画像入出力制御部３からの画像データに応じた画像を記録紙上に記録する。
【００１４】
画像入出力制御部３はリーダ部１及びプリンタ部２に接続され、ファクシミリ部４、ストレージ部５、コンピュータインタフェース部７、ＲＩＰ（ラスターイメージプロセッサ）部８、操作部９、コア部１０からなる。
【００１５】
ファクシミリ部４は電話回線１３を介して受信した圧縮画像データを伸長し、伸長された画像データをコア部１０へ転送したり、コア部１０から転送された画像データを圧縮し、圧縮された圧縮画像データを、電話回線１３を介して送信したりする。また、送受信する画像データは、ストレージ部５に接続されたハードディスク６に一時的に保存することができる。
【００１６】
ストレージ部５にはハードディスク６が接続されており、ストレージ部５はコア部１０から転送された画像データを圧縮し、その画像データを検索するためのＩＤ番号とともにハードディスク６に記憶する。また、ストレージ部５はコア部１０を介して転送されたコードデータに基づいてハードディスク６に記憶されている圧縮画像データを検索し、検索された圧縮画像データを読み出して伸長し、伸長された画像データをコア部１０へ転送する。
【００１７】
コンピュータインタフェース部７は、パーソナルコンピュータ又はワークステーション（ＰＣ／ＷＳ）１１とコア部１０の間のインタフェースであり、ＰＣ／ＷＳ１１と一対一のローカルインタフェース又はネットワーク１２で接続されている。
【００１８】
ＲＩＰ部８はＰＣ／ＷＳ１１から転送された画像を表すコードデータ（ＰＤＬ）をプリンタ部２で記録できる画像データに展開するものである。
【００１９】
操作部９はタッチパネルディスプレイとハードキーとを備え、ユーザインタフェースにより、本画像形成装置への動作指示や動作設定等を行うものである。
【００２０】
コア部１０については後述するが、コア部１０はリーダ部１、プリンタ部２、ファクシミリ部４、ストレージ部５、コンピュータインタフェース部７、ＲＩＰ部８、操作部９の間のデータの流れを制御するものである。
【００２１】
図２は、図１に示したコア部１０の概略構成を示すブロック図である。図２において、リーダ部１で読み取られた画像データはインタフェース１０２を介してデータ処理部１０１へ転送される。このデータ処理部１０１は、画像の回転処理や変倍処理などの画像処理と画像データの圧縮又は伸長を行うものであり、画像データを格納するページメモリ１０５が接続されている。リーダ部１からデータ処理部１０１へ転送された画像データは、ページメモリ１０５に一時的に記憶された後、圧縮されてインタフェース１００を介してストレージ部５へ転送される。
【００２２】
また、コンピュータインタフェース部７を介して入力された画像を表すコードデータ（ＰＤＬ）は、インタフェース１００を介してデータ処理部１０１に転送され、更にＲＩＰ部８へ転送されて描画データに展開される。この描画データはデータ処理部１０１に転送された後、ストレージ部５へ転送される。
【００２３】
また、ファクシミリ部４で受信された画像データは、インタフェース１００を介してデータ処理部１０１へ転送された後、ストレージ部５へ転送される。また、ストレージ部５に蓄積された画像データは、データ処理部１０１へ転送された後、プリンタ部２やファクシミリ部４、コンピュータインタフェース部７へ転送される。
【００２４】
ＣＰＵ１０３はメモリ１０４に記憶されている制御プログラム、及び操作部９から転送された制御コマンドに従って上述したような制御を行う。また、メモリ１０４はＣＰＵ１０３の作業領域としても使われる。
【００２５】
このように、コア部１０を中心に、ストレージ部５を介して原稿画像の読み取り、画像のプリント、画像の送受信、画像の保存、コンピュータからのデータの入出力などの機能を複合させた処理を行うことが可能である。
【００２６】
図３は、本実施形態の画像形成装置におけるジョブ制御の単位を論理的に示す図である。ここで、ジョブ制御の単位は、複数ページを含む画像データ一纏まりに対する入力及び出力処理である。図３に示すように、制御されるジョブは画像入力ジョブと画像出力ジョブとに大別される。
【００２７】
画像入力ジョブは、リーダ部１で読み取った画像データを順次ストレージ部５へ記録する画像入力ジョブＩＪ１と、ＲＩＰ部８で展開された画像データを順次ストレージ部５へ記録する画像入力ジョブＩＪ２と、ファクシミリ部４で受信された画像データを順次ストレージ部５へ記録する画像入力ジョブＩＪ３と、コンピュータインタフェース部７から入力された画像データを順次ストレージ部５へ記録する画像入力ジョブＩＪ４とに分類される。
【００２８】
そして、画像出力ジョブは、ストレージ部５から読み出した画像データを順次プリンタ部２へ出力する画像出力ジョブＯＪ１と、ストレージ部５から読み出した画像データを順次ファクシミリ部４へ出力する画像出力ジョブＯＪ２と、ストレージ部５から読み出した画像データを順次コンピュータインタフェース部７へ出力する画像出力ジョブＯＪ３とに分類される。
【００２９】
図４は、複数のジョブを組み合わせた単位（以下、複合ジョブと呼ぶ）の一例を示す図である。図４に示す複合ジョブＣＪ１はＰＤＬプリントジョブであり、画像入力ジョブＩＪ２と画像出力ジョブＯＪ１とを組み合わせた複合ジョブとして制御される。また、複合ジョブＣＪ２はコピージョブであり、画像入力ジョブＩＪ１と画像出力ジョブＯＪ１とを組み合わせた複合ジョブとして制御される。また、複合ジョブＣＪ３はＰＤＬ記録ジョブであり、画像入力ジョブＩＪ２のみで、複合ジョブとして制御される。また、複合ジョブＣＪ４はスキャンジョブであり、画像入力ジョブＩＪ１のみで、複合ジョブとして制御される。更に、複合ジョブＣＪ５はプリントジョブであり、画像出力ジョブＯＪ１のみで、複合ジョブとして制御される。
【００３０】
尚、本実施形態では、複合ジョブは１つ以上のジョブを含む制御単位であり、例えば画像入力ジョブＩＪ１と画像入力ジョブＩＪ２と画像出力ジョブＯＪ３とを組み合わせて１複合ジョブとして扱っても良い。この複合ジョブは、リーダ部１で読み取った画像データとＲＩＰ部８で展開された画像データを合成してコンピュータへ出力するジョブである。
【００３１】
次に、本実施形態の画像形成装置におけるユーザ認証と、認証されたユーザに応じてプリント優先順位制御を行う制御手順に関して説明する。
【００３２】
図５は、本実施形態における画像形成装置のソフトウェア構成を示すブロック図である。図５において、ユーザ認証部Ｃ１は、操作部９やコンピュータインタフェース部７から入力されたユーザ名とパスワードなどの個人を識別する情報からユーザを認証するモジュールである。
【００３３】
ジョブ管理部Ｃ２は、ユーザが投入したジョブを保持し、その実行を管理するモジュールである。ジョブ優先度決定部Ｃ３は、認証されたユーザの使用権限などの情報から、ユーザの投入したジョブの優先度を決定するモジュールである。このモジュールはユーザの優先度管理テーブルを参照することができる。
【００３４】
ジョブ処理部Ｃ４は、ユーザの投入したジョブの実行を処理するモジュールであり、ユーザが投入したジョブの数だけこのモジュールが生成される。デバイスドライバＣ５は、リーダ部１、プリンタ部２などの装置やデータ処理部１０１の画像の回転処理や変倍処理などの画像処理機能を扱うためのドライバである。
【００３５】
デバイス管理部Ｃ６は、リーダ部１やプリンタ部２又はデータ処理部１０１の画像の回転処理や変倍処理などの画像処理を行うデバイスがどのジョブによって使用されているかを管理するモジュールである。
【００３６】
そして、ユーザ認証情報Ｃ７は、ユーザ認証部Ｃ１がユーザ認証を行うための情報である。この情報は、ストレージ部５に接続されているハードディスク６に保存されても良いし、ネットワーク上のサーバに置かれていても良い。
【００３７】
図６は、ユーザの個人認証を行いジョブを投入する処理を示すフローチャートである。まずステップＳ６０１において、ユーザの個人認証を行うために、操作部９のディスプレイにユーザインタフェース画面を表示し、ユーザの個人認証に必要な情報を入力させる。本実施形態では、ユーザ名とパスワードを入力させるものとする。
【００３８】
次に、ステップＳ６０２において、ステップＳ６０１で入力された個人認証のための情報に基づきユーザ認証部Ｃ１がユーザの認証を行う。この処理は、予め登録され、ハードディスク６若しくはネットワーク上のサーバに保存されているユーザ認証情報Ｃ７を参照してユーザの使用権限を調べる処理である。ここで、入力されたユーザ名がユーザ認証情報Ｃ７に登録されていない場合、新規ユーザとして登録作業を行うか、認証失敗として扱っても良い。
【００３９】
次に、ステップＳ６０３において、ステップＳ６０２で行った認証が成功したか否かを判定し、認証が成功しなかった場合はステップＳ６０１の処理に戻る。また、認証が成功したと判定した場合はステップＳ６０４の処理に移り、ユーザからのジョブの投入を受け付ける。本実施形態では、コピージョブＣＪ２として、ユーザが操作部９から部数、用紙サイズ、給紙カセット、拡大縮小率、片面／両面、両面のとじ方向、ページ出力順序、ソート出力、ステイプル止めの有無等、コピージョブの設定を入力する。
【００４０】
次に、ステップＳ６０５において、ステップＳ６０４で入力されたコピージョブＣＪ２の設定に基づきコピージョブＣＪ２の情報を作成する。この際投入したユーザの認証情報もジョブの情報に含める。次に、ステップＳ６０６において、ジョブ優先度決定部Ｃ３でコピージョブＣＪ２の情報に含まれるユーザの認証情報に基づきジョブの優先度を決定し、ジョブの情報に含める。そして、ステップＳ６０７において、ジョブの情報を保持したジョブ処理部Ｃ４を生成し、ジョブ管理部Ｃ２で保持する。
【００４１】
尚、本実施形態では、コピージョブＣＪ２を投入する場合を例に説明したが、ＰＤＬプリントジョブＣＪ１を投入する場合にもステップＳ６０１で個人認証のための情報をコンピュータインタフェース７を介してＰＣ／ＷＳ１１から入力した後、ステップＳ６０４でジョブの投入をコンピュータインタフェース７を介して入力することにより同様に実現することができる。また、その他の複合ジョブにおいても同様に実現することができる。
【００４２】
次に、デバイスの使用許可を求めているジョブ処理部Ｃ４の中から、デバイス管理部Ｃ６が優先度の高いものに対してデバイスを優先的に使用させることで、ジョブの実行順序を制御する処理について説明する。
【００４３】
図７は、本実施形態によるジョブの優先処理を説明するためのフローチャートである。この例では、複合ジョブであるＰＤＬプリントジョブＣＪ１を投入し、ＰＤＬデータを変倍して出力するものとする。
【００４４】
まずステップＳ７０１において、複合ジョブであるＰＤＬプリントジョブＣＪ１の最初のジョブとして画像入力ジョブＩＪ２を生成する。このとき、画像入力ジョブＩＪ２の優先度はＰＤＬプリントジョブＣＪ１と同じ優先度である。
【００４５】
次に、ステップＳ７０２において、画像入力ジョブＩＪ２を開始し、ステップＳ７０３において、ＰＣ／ＷＳ１１からコンピュータインタフェース部７を介して送られた印刷対象となる文書データをＰＤＬデータとして受信する。
【００４６】
次に、ステップＳ７０４において、受信したＰＤＬデータをＲＩＰ部８で画像データに展開するために、デバイス管理部Ｃ６に対してＲＩＰ部８の使用許可を依頼する。このとき、ＲＩＰ部８が他のジョブにより使用されていた場合、他のジョブが終了してＲＩＰ部８が使用できる状態になるまで待機することになる。その後、ＲＩＰ部８が使用できる状態になると、デバイス管理部Ｃ６が管理するデバイスの中でＲＩＰ部８の空きを待っているジョブの中から最も優先度の高いジョブを選択する。そして、デバイス管理部Ｃ６は選択した優先度の高いジョブに対してＲＩＰ部８の使用許可を与える。
【００４７】
これにより、優先度の高いジョブは優先度の低いジョブよりも早く処理を行うことができる。尚、ジョブの優先度は、そのジョブが投入されたとき、ステップＳ６０６においてジョブ優先度決定部Ｃ３が認証された認証情報によりユーザの使用権限などが登録されているユーザの優先度管理テーブルを参照して決定し、ジョブ管理部Ｃ２で管理されるジョブ処理部Ｃ４のジョブの情報に含まれているものである。
【００４８】
次に、ステップＳ７０５において、デバイスドライバＣ５を操作してＲＩＰ部８の画像処理機能により、受信したＰＤＬデータを画像データに展開してデータ処理部１０１へ転送する。次に、ステップＳ７０６において、画像データを変倍するために、データ処理部１０１の使用許可をデバイス管理部Ｃ６に依頼する。この処理は、ステップＳ７０４での処理と同様な処理である。
【００４９】
次に、ステップＳ７０７において、デバイスドライバＣ５を操作してデータ処理部１０１の画像処理機能により、展開した画像データを変倍し、次のステップＳ７０８において、データ処理部１０１で変倍された画像データをストレージ部５のハードディスク６に記録する。この時、各種画像属性情報（解像度、画素数、等）も記録する。
【００５０】
次に、ステップＳ７０９において、全てのページを処理し、画像データとしてハードディスク６に記録したか否かを判断する。ここでの判断の結果、処理していないページが残っている場合は、処理をステップＳ７０３に戻し、また全てのページを処理した場合には、処理をステップＳ７１０へ進める。
【００５１】
このステップＳ７１０では、上述したステップＳ７０２で生成された画像入力ジョブを終了状態としてステップＳ７１１へ進む。そして、ステップＳ７１１において、複合ジョブであるＰＤＬプリントジョブＣＪ１は画像出力ジョブＯＪ１を生成する。このとき、画像出力ジョブＯＪ１の優先度はＰＤＬプリントジョブＣＪ１と同じ優先度である。
【００５２】
次に、ステップＳ７１２において、画像出力ジョブＯＪ１を開始する。次に、ステップＳ７１３において、上述のステップＳ７０８でストレージ部５のハードディスク６に記録したページ毎の画像データを順次読み出して、インタフェース１００を介してデータ処理部１０１へ転送する。
【００５３】
次に、ステップＳ７１４において、プリントアウトのために、プリンタ部２の使用許可を上述したステップＳ７０４での処理と同様に依頼して待機する。次に、ステップＳ７１５において、データ処理部１０１に転送された画像データを、デバイスドライバＣ５を操作して、インタフェース１０２を介してプリンタ部２へ転送し、プリンタ部２で上述したように画像形成を行い、画像形成された画像がプリントアウトされる。
【００５４】
次に、ステップＳ７１６において、ハードディスク６に記録されたページ毎の画像データが全てプリントアウトされたか否かを判定する。ここで、処理されていないページが残っている場合は、処理をステップＳ７１３に戻し、また全てのページが処理された場合には、処理をステップＳ７１７へ進める。このステップＳ７１７では、上述のステップＳ７１１で生成された画像出力ジョブを終了状態としてステップＳ７１８へ進み、複合ジョブであるＰＤＬプリントジョブＣＪ１を終了状態とし、一連の処理を終了する。
【００５５】
尚、他のコピージョブＣＪ２やＰＤＬ記録ジョブＣＪ３などにおいても同様に、デバイスを使用する際にデバイス管理部Ｃ６に使用許可を求め、ジョブ優先度決定部Ｃ３が優先度の高いジョブを選択し、選択したジョブに優先的にデバイスの使用権限を与えることができる。
【００５６】
本実施形態によれば、図６に示すステップＳ６０６において、使用権限の高いユーザに対してジョブ優先度を高くするようにすれば、使用権限の低いユーザのジョブより、使用権限の高いユーザのジョブを優先的に実行できる。
【００５７】
また、複合ジョブが画像入力ジョブ又は画像出力ジョブを実行するに当たり、データ処理部１０１を用いて画像処理を行う場合、ページメモリ１０５等のシステムの資源を必要とする。その際に、配分する資源の量をジョブの優先度により決定しても良い。つまり、優先度の高いジョブには多くの資源を配分するという形態をとる。その結果、優先度の高いジョブはシステムの資源を優先的に使用することができるため、処理が早く行われるといった利点を得ることができる。
【００５８】
また、本実施形態では、図６に示すステップＳ６０６において、ユーザの認証情報のみからジョブの優先度を決定しているが、ジョブの種類を判断材料とすることもできる。これにより、人物ＡのＰＤＬプリントは人物ＢのＰＤＬプリントより優先するが、人物Ａのコピーは人物Ｂのプリントより優先されないといった細かい優先度の設定が可能となる。
【００５９】
以上説明したように、実施形態によれば、ユーザの個人認証を行い、ユーザの使用権限に応じて出力を適切に制御することができる。
【００６０】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００６１】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００６２】
この場合、記録媒体から読出されたプログラムコード自体が前述した実施形態の機能を実現することになり、そのプログラムコードを記憶した記録媒体は本発明を構成することになる。
【００６３】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００６４】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００６５】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【００６６】
【発明の効果】
以上説明したように、本発明によれば、画像形成に対応するジョブの優先度を個人認証したユーザの認証情報により決定することにより、ユーザに応じた優先度に従ってジョブを実行させることができる。
【図面の簡単な説明】
【図１】本実施形態による画像形成装置の構成を示すブロック図である。
【図２】図１に示したコア部１０の概略構成を示すブロック図である。
【図３】本実施形態の画像形成装置におけるジョブ制御の単位を論理的に示す図である。
【図４】複数のジョブを組み合わせた単位の一例を示す図である。
【図５】本実施形態における画像形成装置のソフトウェア構成を示すブロック図である。
【図６】ユーザの個人認証を行いジョブを投入する処理を示すフローチャートである。
【図７】本実施形態によるジョブの優先処理を説明するためのフローチャートである。
【符号の説明】
１  リーダ部
２  プリンタ部
３  画像入出力制御部
４  ファクシミリ部
５  ストレージ部
６  ハードディスク
７  コンピュータインタフェース部
８  ＲＩＰ（ラスターイメージプロセッサ）部
９  操作部
１０  コア部
１１  パーソナルコンピュータ又はワークステーション（ＰＣ／ＷＳ）
１２  ネットワーク
１３  電話回線
１００  インタフェース
１０１  データ処理部
１０２  インタフェース
１０３  ＣＰＵ
１０４  メモリ
１０５  ページメモリ
【図１】
2004343655.tif 000003
【図２】
2004343655.tif 000004
【図３】
2004343655.tif 000005
【図４】
2004343655.tif 000006
【図５】
2004343655.tif 000007
【図６】
2004343655.tif 000008
【図７】
2004343655.tif 000009